(57)【特許請求の範囲】
【請求項１】
媒体を媒体処理機の排出口から回収箱に回収可能な媒体処理装置において、
前記回収箱を支持する支持手段を設け、
該支持手段には、前記排出口に向かって回収箱を傾かせる回収箱支持面が形成され、この回収箱支持面により前記回収箱が支持されたときに、前記排出口と反対側に位置する壁面が下方に向かって前記排出口側から遠ざかる方向に傾斜させ、さらに前記支持手段には、前記排出口側に位置する回収箱壁面に設けた孔に貫入して前記回収箱内に突入し、前記孔から離れるに従って低くなる斜面を有し、回収箱の装着状態において、その斜面により媒体の先端が前記孔と反対側に位置する壁面で支えられるように形成した突起を備えたことを特徴とする媒体処理装置。
【請求項２】
請求項１において、前記回収箱の底面には、前記回収箱内に回収される媒体の回収箱壁面の最下部に前記媒体を繰り出す媒体繰り出し口を設けた媒体処理装置。
【発明の詳細な説明】
【０００１】
この発明は、処理を施して排出した媒体を回収箱に積層収納する媒体処理装置およびそれに用いる支持手段に関する。
【０００２】
【従来の技術】
この種の媒体処理装置が処理する媒体としては、ポイントカードや会員カード等（以下、カードとする）が有る。以下、媒体処理装置として、カードを処理するカード処理機を例に説明する。
従来、カード処理機から排出されるカードをカード回収箱（以下、回収箱という。）に積層収納するにあたって、特別な積層機構を設けることなく回収箱に落とし込む方法をとった場合、回収箱内でカードの整列が乱れ、後続カードの積層ができなくなることを防止する目的で、回収箱の底板にカード処理機からの排出方向に向きを合わせ前傾するように傾斜が設けられていた。
【０００３】
【発明が解決しようとする課題】
しかしながら、上述した従来の技術では、傾斜を設けてもカード処理機からのカード排出方向に対向する回収箱の壁面が垂直なため、この壁面に支えられる形でカードが直立し後続カードの整列の妨げになることが防ぎきれない上、たとえ整列できたとしても、カードが通し番号等で管理されている場合、直立したカードが順列から抜け、このカードを元の位置へ戻すのに手間が掛かるという問題があった。
【０００４】
また、カード処理システムの運用上、回収箱に収納したカードを再びカード処理機へ供給する処理があり、この場合、この処理に携わる作業者の扱いを容易にするため、回収箱がカード処理機のカード供給部にセットでき、回収箱が供給箱として作用するようにしたいが、上記、底板に傾斜を設けた回収箱では供給箱として作用させる上で必要なカードへの繰り出しローラーの当接が難しくなるという問題と、カード繰り出しゲートの形成が難しくなるという問題があった。
【０００５】
【課題を解決するための手段】
そこで本発明は、媒体を媒体処理機の排出口から回収箱に回収可能な媒体処理装置において、前記回収箱を支持する支持手段を設け、該支持手段には、前記排出口に向かって回収箱を傾かせる回収箱支持面が形成され、この回収箱支持面により前記回収箱が支持されたときに、前記排出口と反対側に位置する壁面が下方に向かって前記排出口側から遠ざかる方向に傾斜させ、さらに前記支持手段には、前記排出口側に位置する回収箱壁面に設けた孔に貫入して前記回収箱内に突入し、前記孔から離れるに従って低くなる斜面を有し、回収箱の装着状態において、その斜面により媒体の先端が前記孔と反対側に位置する壁面で支えられるように形成した突起を備えたことを特徴とする。
【０００６】
【発明の実施の形態】
以下に本発明の実施の形態例を図面を用いて説明する。
第１実施の形態例
図１は、本発明の第１の実施の形態例を示す斜視図であり、図において１は回収箱で、この回収箱１の、カード処理機２側に位置する壁面には孔３があいている。
【０００７】
４は回収箱１を支持する回収箱支持手段で、この回収箱支持手段４には回収箱１をカード処理機２のカード排出口５に向かって傾かせる回収箱支持面６が形成されると共に前記回収箱１の壁面に開く孔３を貫通し回収箱１内に突出する突起７が形成される。
８はカード処理機２に備わるカード搬送ローラーで、９はこのカード搬送ローラー８により搬送され、カード処理機２のカード排出口５から排出途中のカードで、カード処理機２により磁気データー等の初期書込みが施されたものである。
【０００８】
図２、図３は上記回収箱１の着脱動作を示す斜視図であり、図２は回収箱支持手段４に装着前の回収箱１を示し、図３は装着後の回収箱１を示す。
以下、図２、図３に従って、前記回収箱１と回収箱支持手段４に形成される突起７の対応を説明する。図において１は回収箱、３は回収箱のカード処理機側壁面に開く孔、４は回収箱支持手段、７は回収箱支持手段４に形成される突起であり、これらは前記説明の通りである。
【０００９】
１０は回収箱１を回収箱支持手段４に着脱するための着脱ガイドで、回収箱１はこの着脱ガイド１０にガイドされることにより回収箱１への突起７の突入軸１１に沿って回収箱支持手段４に着脱できる構成となっている。
１２は突起７上に形成される斜面で、カード処理機２から離れるにしたがって低くなり、図３に示すように回収箱１の装着状態において、斜面１２の延長線１３は、回収箱１のカード処理機２と反対側に位置する壁面の底面の交点１４に到達するように形成される。
【００１０】
図４〜図８は、第１実施の形態例の動作の説明をする側断面説明図であり、以下、図面に従って、上記構成の本実施の形態例の動作を説明する。
まず、図４においては、カード処理機２のカード搬送ローラー８により回収箱１内に搬送されたカード９が、回収箱支持手段４に形成される突起７の斜面１２上に落下した場合の動きが示してあり、カード９は▲１▼から▲２▼の軌跡を描き落下し、▲３▼で先端が斜面１２に到達したカード９は斜面１２を滑り落ち、面が斜面１２に密着し、先端が回収箱１のカード処理機２と反対側に位置する壁面で支えられた状態▲４▼で収納される。
【００１１】
また、図５においては、カード処理機２のカード搬送ローラー８により回収箱１内に搬送されたカード９が、回収箱１のカード処理機２と反対側に位置する壁面に衝突して落下した場合の動きが示してあり、カード９は▲１▼から▲２▼の軌跡を描き落下し、先端が回収箱１のカード処理機２と反対側に位置する壁面に行く手を阻まれ、図において反時計方向に回動し直立姿勢になろうとするが、壁面がカード処理機２側に傾いているため直立姿勢になり切れず、▲３▼の落下し切った状態から斜面１２側に倒れ、面が斜面１２に密着し、先端が回収箱１のカード処理機２と反対側に位置する壁面で支えられた状態▲４▼で収納される。
【００１２】
つぎに、図６と図７においては、回収箱１内にカード９が既に複数枚積層収納されている状態が示してあり、積層収納されるカード１５の最上段に位置するカードが斜面１２に置き換わり、前記、図４と図５の説明と同じ軌跡をたどり、後続のカード１５が集積収納される。
つぎに、図８には、所定枚数のカード回収が終了した回収箱１を回収箱支持手段４から取り外した状態を示してあり、回収箱１内に積層し収納されるカード１５は突起７の支えがなくなるため、回収箱１の底面と平行に整列し、回収箱１は、テーブル等に置いても転倒することなく安定した姿勢を保つ。
【００１３】
以上のように、第１実施の形態例に示したカード回収箱は、従来の底面に斜面を設けたカード回収箱で問題となった、カード処理機からのカード排出方向に対向する回収箱の壁面が垂直なため、この壁面に支えられる形でカードが直立し、後続カードの整列の妨げになることを防ぎきれなかったという問題と、たとえ整列できたとしても、カードが通し番号等で管理されている場合、直立したカードが順列から抜け、このカードを元の位置へ戻す手間が発生するという問題が解消できる。
【００１４】
また、回収箱自体の形状が簡単であるので、この回収箱が安価に製造できることと、底面に斜面が無い直方体形状でありテーブル等に転倒せずに置けるため、この回収箱を複数備えカード処理装置から回収したカードを別の箱に移すことなく、回収時期別等に分類しストックすることも可能となる。
第２実施の形態例
図９は本発明の第２実施の形態例を示す斜視図、図１０は同側断面図である。
【００１５】
図において、２１は回収箱、３は第１実施の形態例で説明した回収箱支持手段４に設けた突起７が貫通する孔で、この孔３があく面の最下部にカード１枚厚のものが通過できる幅を持つスリット孔１６と、このスリット孔１６にはカードを導くための斜面１７が設けてある。
また、回収箱底面にも孔１８が設けてあり、この孔１８は後述する、カード処理機に備わるカード繰り出しローラーと回収箱内のカードを当接させるための孔である。
【００１６】
つぎに、図１１は、図９および図１０に示した回収箱２１をカード処理機に装着した状態を示すもので、ここでのカード処理機は、第１実施の形態例で説明した磁気データー等の初期書込みが施されたカードを顧客に発行する処理を実行するものであり、図のように、回収箱２１はカード処理機２に装着されると回収箱２１のスリット孔１６とカード処理機２のカード搬出路１９が対向し、回収箱２１内に積層収納されているカード１５の最下段に位置するカード９が回収箱２１の孔１８を介しカード処理機２のカード繰り出しローラー２０に当接する。
【００１７】
なお、図において、８はカード搬送ローラーで、２２はカード９とカード繰出しローラ２０の当接面で摩擦力を発生させるための錘である。
第２実施の形態例の動作を図１１を用い説明する。まず、カード繰り出しローラー２０が図において時計方向に回転すると、回収箱２１内に積層し収納されるカード１５はカード９とカード繰り出しローラー２０の当接面に発生する摩擦力でスリット孔１６方向に移動する。
【００１８】
つぎに、積層の下方に位置するカード数枚が、斜面１７に導かれてスリット孔１６へ突入しようとするが、スリットがカード１枚の通過できる幅のため積層の最下段に位置するカード１枚が、カード処理機２のカード搬出路１９へ繰り出され、同じくカード処理機２のカード搬出ローラー８で搬送され、顧客に発行される。
【００１９】
なお、このスリットと斜面を用いた媒体１枚分離方法は、公知のものである。
上述した第２実施の形態例によれば、第１実施の形態例で説明したカード回収箱を、カード処理装置へカードを供給するカード供給箱として作用させることができる。
第３実施の形態例
図１２は本発明の第３実施の形態例を示す斜視図、図１３は同側断面図である。
【００２０】
ここでのカード処理機は、磁気書込み等の処理機能は持たず、カードリーダ・ライタにカードを供給しカードリーダ・ライタが処理したカードを受け取り回収する動作を連続して実行するものである。
まず、図において、第１実施の形態例で説明した回収箱支持手段４は、カード処理機２に固定し装着されるか、カード処理機２のフレームの一部として形成されることでカード処理機２に備わる。
【００２１】
つぎに、図において上部には回収箱２１が第２実施の形態例で説明した構成で装着され、スリット孔１６はカード処理機２のカード搬送路を介しカードリーダ・ライタ２３のカード搬送路に対向している。
また、図において下部には回収箱２１が第１実施の形態例で説明した構成で装着されている。
【００２２】
なお、図において、２４はカード搬送路切替え手段で、図において反時計回りに回動するようバネ付勢してあり通常は実線の位置に固定され、図において左方向から搬送されるカードが押すことにより図において二点鎖線の位置に回動する。
上記構成の第３実施の形態例の動作を図１３を用い説明する。まず、図において上部の回収箱２１から第２実施の形態例で説明した動作で繰り出したカード９は、カード搬送路切替え手段２４を押し退けるとカード搬送ローラー８で搬送され、カードリーダ・ライタ２３に引き渡され、カードリーダ・ライタ２３において磁気データー等の初期書込みが施される。
【００２３】
つぎに、このカード９はカード処理機２に返却されカード搬送路切替え手段２４に突き当たると、その搬送方向の向きが図において下方へ曲げられ、第１実施の形態例で説明した動作で図において下部の回収箱２１へ落下する。
この動作の繰り返しで、図において上部の回収箱２１から図において下部の回収箱２１へカード９が全て移ったら、図において下部の回収箱２１を取り外し、空になった図において上部の回収箱２１の位置には、新たなカードを装填した回収箱２１を装着する。
【００２４】
なお、一度書き込んだデーターの書き換えが必要になった場合等には、取り外した図において下部の回収箱２１を上部の回収箱２１の位置に装着し処理を継続することもできる。
もともと、この種のカード処理機は、カードへ磁気書込み等を連続して実行する処理において、手持ちのカードリーダ・ライタを用いることでカード処理機への設備投資を抑える目的で開発されたもので、回収後のカード整列状態まで配慮が届かず整列の乱れたカードの整理に手間が掛かったが、第３実施の形態例によれば、この種のカード処理機にも第１と第２実施の形態例で説明した回収箱が備えられ、良好な回収後のカード整列状態が得られるため整列の乱れたカードを整理する手間を省くことができる。
【００２５】
第１から第３実施の形態例においては、カード処理を目的として回収箱を説明したが、本発明は、コピー機やプリンターにおける用紙の回収にも応用できる。また、冊子状をなす預金通帳等であっても、磁気データーの初期書込みや表紙への初期印字等、冊子が閉じた状態の処理であれば応用できる。
【００２６】
【発明の効果】
以上詳細に説明した本発明によると、媒体を排出口から回収箱に回収可能な媒体処理装置において、前記回収箱を支持する支持手段を設け、該支持手段により前記回収箱が支持されたときに、前記回収箱の排出口と反対側に位置する壁面が下方に向かって前記排出口側から遠ざかる方向に傾斜するようにしたことにより、回収箱装着時は、底面に傾斜を形成して、落下する媒体が回収箱内で直立姿勢になろうとするのを阻みながら斜面上に倒し込んで積層でき、回収箱取り外し時は斜面をなくして、回収箱内の媒体を底面と平行に整列でき、安定した回収、収納、整理等が可能となるという効果がある。
【００２７】
また、回収箱自体の形状が簡単であるので、この回収箱が安価に製造できることと、底面に傾斜が無い直方体形状でありテーブル等に転倒せずに置けるため、この回収箱を複数備えカード処理装置から回収したカードを別の箱に移すことなく、回収時期別等に分類しストックすることが可能となる。
さらに、回収箱取り出し時は回収箱内のカードを分離し繰り出す媒体繰り出し口を設けることで、前記回収箱を、カードの供給箱として作用させることができるという効果がある。
【図面の簡単な説明】
【図１】本発明の第１実施の形態例を示す斜視図
【図２】本発明の第１実施の着脱動作を示す斜視図
【図３】本発明の第１実施の着脱動作を示す斜視図
【図４】第１実施の形態例の動作の説明をする側断面説明図
【図５】第１実施の形態例の動作の説明をする側断面説明図
【図６】第１実施の形態例の動作の説明をする側断面説明図
【図７】第１実施の形態例の動作の説明をする側断面説明図
【図８】第１実施の形態例の動作の説明をする側断面説明図
【図９】本発明の第２実施の形態例を示す斜視図
【図１０】本発明の第２実施の形態例を示す側断面図
【図１１】本発明の第２実施の形態例の動作を示す側断面図
【図１２】本発明の第３実施の形態例示す斜視図
【図１３】本発明の第３実施の形態例の動作を示す説明図
【符号の説明】
１  回収箱
２  カード処理機
３  孔
４  回収箱支持手段
５  カード排出口
６  回収箱支持面
７  突起
８  カード搬送ローラー
９  カード
１０  着脱ガイド
１１  突起の突入軸
１２  斜面
１３  斜面の延長線
１４  壁面と底面の交点
１６  スリット孔
１７  斜面
１８  孔
１９  カード搬送路
２０  カード繰り出しローラー
２１  回収箱
２２  錘
２３  カードリーダ・ライタ
２４  カード搬送路切り替え手段
【図１】
0003626678.tif 000002
【図２】
0003626678.tif 000003
【図３】
0003626678.tif 000004
【図４】
0003626678.tif 000005
【図５】
0003626678.tif 000006
【図６】
0003626678.tif 000007
【図７】
0003626678.tif 000008
【図８】
0003626678.tif 000009
【図９】
0003626678.tif 000010
【図１０】
0003626678.tif 000011
【図１１】
0003626678.tif 000012
【図１２】
0003626678.tif 000013
【図１３】
0003626678.tif 000014